(57)【要約】【課題】水切り板兼用下枠を四周に一体形成して、この水切り板兼用下枠の上端部に採光窓本体の上枠の下端部を固着することで、採光窓周縁の屋根面との雨仕舞い性が良好となるとともに簡単に施工することができる採光窓を提供するものである。【解決手段】住宅等の屋根面１の野地板２に開口部３を形成して、この開口部３に突出して形成された枠体４を固着し、この枠体４上に採光窓本体５を設置して採光や換気に供されるものであって、この枠体４の外側面及び野地板２面を被装する縦断面略Ｌ字状の水切り板兼用下枠７を四周に一体形成するとともにこの水切り板兼用下枠７の上端部１４に採光窓本体５の上枠６の下端部１３を固着して形成するものである。【選択図】　　　　図２
2004116067.tif 000002
【特許請求の範囲】
【請求項１】
住宅等の屋根面の野地板に開口部を形成して、該開口部に突出して形成された枠体を固着し、該枠体上に採光窓本体を設置して採光や換気に供される採光窓において、前記枠体の外側面及び野地板面を被装する縦断面略Ｌ字状の水切り板兼用下枠を四周に一体形成するとともに該水切り板兼用下枠の上端部に採光窓本体の上枠の下端部を固着することを特徴とする採光窓。
【請求項２】
上記水切り板兼用下枠の水下側のコーナー部に上下に回動する回動自在の瓦押え板を形成することを特徴とする請求項１記載の採光窓。
【請求項３】
上記水切り板兼用下枠の上端部と採光窓本体の上枠の下端部とが嵌着されることを特徴とする請求項１又は請求項２記載の採光窓。
【請求項４】
上記水切り板兼用下枠の上端部と採光窓本体の上枠の下端部とがパッキング材を介して嵌着することを特徴とする請求項１乃至請求項３のいずれかに記載の採光窓。
【発明の詳細な説明】
【０００１】
【発明の属する技術分野】
本発明は、住宅等の屋根面の野地板に開口部を形成し、この開口部に突出して形成された枠体を固着し、この枠体上に採光窓本体を設置して採光や換気機能を有するに採光窓に関するものである。
【０００２】
【従来の技術】
従来から屋根面に固定される額縁状の木枠と、透光板を挟持し、それ自体開閉する窓枠と、木枠と窓枠の間に配置され窓枠と係合する下枠とを備える採光窓において、木枠の外周に沿って水切り部材を一体的に形成した採光窓は知られている。（例えば、特許文献１参照）
【０００３】
しかしながら、この水切り部材は柔軟性を有し、現場でシート状のものを切断して木枠に合わせるものであって、水切り効果はあるものの採光窓の下枠としての機能を果たすには、強度的に弱いものであります。そこで屋根面に設置された採光窓の周縁に水切り部材を切断したり折り曲げたりして施工するのに手間がかかるものであった。
【０００４】
【特許文献１】
特開平９−６７９０９号公報（第１−２頁、第６図）
【０００５】
【発明が解決しようとする課題】
本発明は上記問題点の解決を目的とするものであり、水切り板兼用下枠を四周に一体形成して、この水切り板兼用下枠の上端部に採光窓本体の上枠の下端部を固着することで、採光窓周縁の屋根面との雨仕舞い性が良好となるとともに簡単に施工することができる採光窓を提供するものである。
【０００６】
【課題を解決するための手段】
本発明の請求項１記載の採光窓は、住宅等の屋根面の野地板に開口部を形成して、該開口部に突出して形成された枠体を固着し、該枠体上に採光窓本体を設置して採光や換気に供される採光窓において、前記枠体の外側面及び野地板面を被装する縦断面略Ｌ字状の水切り板兼用下枠を四周に一体形成するとともに該水切り板兼用下枠の上端部に採光窓本体の上枠の下端部を固着することを特徴とするものである。
【０００７】
したがって、水切り板兼用下枠を四周に一体形成して、この水切り板兼用下枠の上端部に採光窓本体の上枠の下端部を固着することで、採光窓周縁の屋根面との雨仕舞い性が良好となるとともに簡単に施工することができる。
【０００８】
本発明の請求項２記載の採光窓は、請求項１記載の水切り板兼用下枠の水下側のコーナー部に上下に回動する回動自在の瓦押え板を形成することを特徴とするものである。
【０００９】
したがって、水切り板兼用下枠の水下側のコーナー部と屋根面との瓦施工が簡単にでき、雨仕舞いが良好となる。
【００１０】
本発明の請求項３記載の採光窓は、請求項１又は請求項２記載の水切り板兼用下枠の上端部と採光窓本体の上枠の下端部とが嵌着されるものである。
【００１１】
したがって、水切り板兼用下枠の上端部と採光窓本体の上枠の下端部とを嵌めることで水切り板が一体化された採光窓を簡単に形成することが可能となる。
【００１２】
本発明の請求項４記載の採光窓は、請求項１乃至請求項３のいずれかに記載の水切り板兼用下枠の上端部と採光窓本体の上枠の下端部とがパッキング材を介して嵌着するものである。
【００１３】
したがって、パッキング材により、水切り板兼用下枠の上端部と採光窓本体の上枠の下端部とを嵌めることで嵌着部の簡単に雨仕舞いの良好な採光窓を形成することが可能となる。
【００１４】
【発明の実施の形態】
図１乃至図７に示したように、本発明の実施形態に係わる採光窓であって、以下に説明する。
【００１５】
本発明の採光窓Ａは、住宅等の屋根面１の野地板２に開口部３を形成して、この開口部３に突出して形成された枠体４を固着し、この枠体４上に採光窓本体５を設置して採光や換気に供されるものであって、この枠体４の外側面及び野地板との直交する面を被装する縦断面略Ｌ字状の水切り板兼用下枠７を四周に一体形成するとともにこの水切り板兼用下枠７の上端部１４に採光窓本体５の上枠６の下端部１３を固着して形成するものである。
【００１６】
このとき、水切り板兼用下枠７の上端部１４と採光窓本体５の上枠６の下端部１３とが、上枠６を上方から落とし込んで上端部１４と下端部１３とが嵌め込んで固着されている。さらに、この水切り板兼用下枠７の上端部１４と採光窓本体５の上枠６の下端部１３との嵌合面にパッキング材１５を介して嵌着するで上下枠６、７の当接部分の雨仕舞いを良好になるようにしている。
【００１７】
また、採光窓Ａの水切り板兼用下枠７の水下側１８のコーナー部に上下に回動する回動自在の瓦押え板９を形成することによって、水切り板兼用下枠７の水下側１８のコーナー部と屋根面１との瓦施工が簡単にでき、雨仕舞いが良好となるものである。
【００１８】
以下、本発明の一実施例に係わる図１乃至図７に基づいて詳細に説明する。
【００１９】
図１は、水切り板兼用下枠の斜視図、図２は、水下側と水上側との採光窓の要部の縦断面図、図３は、水下側の採光窓の要部の縦断面図、図４は、採光窓の水上側の要部の縦断面図、図５は、採光窓の水下側の瓦押え板を用いて施工した状態を示す要部の斜視図、図６は、野地板に設けられた開口部を示す要部の斜視図、図７は、採光窓の水切り板兼用下枠の四周の施工状態を示す要部の斜視図である。
【００２０】
図１乃至図４において、水切り板兼用下枠７は、木質材や樹脂製の枠体４の外側面及び野地板２との直交する面を被装するアルミニウムや鋼鈑等の金属やポリカーボネート等の樹脂でできた水平片７ａ及び垂直片７ｂとからなる縦断面略Ｌ字状に形成され、四周に一側面を溶接や射出成形の樹脂成形等で一体形成したものである。この水切り板兼用下枠７の水下側１８のコーナー部に上下に回動する回動自在のアルミニウムや鋼鈑等の金属やポリカーボネート等の樹脂でできた瓦押え板９が形成されている。この瓦押え板９は、ヒンジ２０によって回動自在となっている。
【００２１】
この水切り板兼用下枠７の上端部１４には、上枠６の下端部１３の嵌合面にパッキング材１５が設けられている。
【００２２】
そして、図３に示したように、水切り板兼用下枠７の水平片７ａからなる水切り板は、釘やビス等の固定具８で野地板２に固着される。水下側１８及び水上側の水切り板兼用下枠７の水平片７ａとルーフィング１１面の隙間には，防水テープ１２によって雨仕舞いを確実にするために水切り板兼用下枠７の水平片７ａと野地板２間を被装するようにして固着する。その後、セメント系、木質系、金属系、ガラス系等の平板瓦１０を水切り板兼用下枠７の水平片７ａに載置し、瓦押え板９を下方に回動させて平板瓦１０を被装する。
【００２３】
図４において、水上側の水切り板兼用下枠７の水平片７ａは、前記水下側１８と同様に釘やビス等の固定具８で野地板２に固着される。このとき、防水性を有するルーフィング１１は、野地板２を被装するように敷設されている。
【００２４】
そして、水切り板兼用下枠７を屋根面１の野地板２の開口部３に水切り板兼用下枠７の上部が突出するように枠体４に固着され、この水切り板兼用下枠７の上端部１４に矩形状に形成された透明ガラスでできた採光窓本体５の上枠６の下端部１３を嵌着することで採光窓Ａが形成されるので、施工が簡単である。
【００２５】
このとき、採光窓本体５の上枠６の下端は、木質や金属製の架台１９が接着剤やビスで固着されていて、この採光窓Ａの上枠６の架台１９を、水平片７ａ及び垂直片７ｂとからなる縦断面略Ｌ字状に形成された水切り板兼用下枠７を固着した枠体４の段部にＯリング状のパッキング材１６の上に載置するようにしている。このとき、水切り板兼用下枠７の係止部１７は、枠体４の上面に係止されている。したがって、水切り板兼用下枠７の上端部１４と上枠６の下端部１３とによって上下枠６，７が固着されている。
【００２６】
尚、採光窓本体５は、ドーム状に形成してもよく、透明ガラスの上枠６を換気するためにガススプリング等を用いて開閉するような構造にしても良い。
【００２７】
以下、本発明の採光窓Ａの施工状態を図５乃至図７に基づいて説明する。
【００２８】
図６及び図７に示したように、屋根面１の垂木２１上に全面に敷設された野地板２に採光窓Ａの側面形状に合った開口部３を形成して、この開口部３に木質材や樹脂製の枠体４を突出して形成する。そして、この開口部３以外の野地板２ににルーフィング１１を敷いた後、この突出する枠体４を被装するようにして水切り板兼用下枠７の水平片７ａを野地板２上のルーフィング１１に載置し、釘やビス等の固定具８で野地板２に固着される。さらに、水切り板兼用下枠７の水平片７ａとルーフィング１１との接触面の隙間に防水テープ１２が貼着されている。そして、平板瓦１０を施工する際に、水下側１８では、水切り板兼用下枠７の水平片７ａ上に平板瓦１０を載置し、この平板瓦１０を瓦押え板９の下方への回動により被装する。
【００２９】
このとき、図５に示したように、水切り板兼用下枠７の水平片７ａ上に平板瓦１０ａ、１０ｂの側端面を当接させ、この平板瓦１０ａ、１０ｂ上に瓦押え板９が水切り板としての役目を果たすようにしてある。
【００３０】
さらに、水下側１８を除く水上側及び両側端の平板瓦１０を施工する際には、野地板２上のルーフィング１１に水切り板兼用下枠７の水平片７ａを載置し、この水平片７ａとルーフィング１１との接触面の隙間に防水テープ１２が貼着される。その後、水切り板兼用下枠７の水平片７ａ上に平板瓦１０が重合載置される。
【００３１】
ここで、水切り板兼用下枠７の上端部１４に、上枠６の下端部１３を落とし込んで採光窓Ａを形成する。この水切り板兼用下枠７の上端部１４と上枠６の下端部１３とは、凹凸溝を設けて嵌合状態にしても良く、仮に嵌合して上下枠６，７をビス止めして固着しても良い。又、嵌合面には、パッキング材１５を介することで、上下枠６、７の当接部分の雨仕舞いを良好になる。
【００３２】
尚、瓦１０平板瓦１０だけではなく、立体的な日本瓦を載置し、固着するようにしても良い。
【００３３】
【発明の効果】
上述の如く、本発明の請求項１記載の採光窓は、住宅等の屋根面の野地板に開口部を形成して、この開口部に突出して形成された枠体を固着し、この枠体上に採光窓本体を設置して採光や換気に供される採光窓において、前記枠体の外側面及び野地板面を被装する縦断面略Ｌ字状の水切り板兼用下枠を四周に一体形成するとともにこの水切り板兼用下枠の上端部に採光窓本体の上枠の下端部を固着しているので、水切り板兼用下枠を四周に一体形成して、この水切り板兼用下枠の上端部に採光窓本体の上枠の下端部を固着することで、採光窓周縁の屋根面との雨仕舞い性が良好となるとともに簡単に施工することができる。
【００３４】
本発明の請求項２記載の採光窓は、水切り板兼用下枠の水下側のコーナー部に上下に回動する回動自在の瓦押え板を形成しているので、水切り板兼用下枠の水下側のコーナー部と屋根面との瓦施工が簡単にでき、雨仕舞いが良好となる。
【００３５】
本発明の請求項３記載の採光窓は、水切り板兼用下枠の上端部と採光窓本体の上枠の下端部とが嵌着されて入るので、水切り板兼用下枠の上端部と採光窓本体の上枠の下端部とを嵌めることで水切り板が一体化された採光窓を簡単に形成することが可能となる。
【００３６】
本発明の請求項４記載の採光窓は、水切り板兼用下枠の上端部と採光窓本体の上枠の下端部とがパッキング材を介して嵌着しているので、パッキング材により、水切り板兼用下枠の上端部と採光窓本体の上枠の下端部とを嵌めることで嵌着部の簡単に雨仕舞いの良好な採光窓を形成することが可能となる。
【図面の簡単な説明】
【図１】本発明の一実施例に係わる水切り板兼用下枠の斜視図である。
【図２】本発明の一実施例に係わる水下側と水上側との採光窓の要部の縦断面図である。
【図３】本発明の一実施例に係わる水下側の採光窓の要部の縦断面図である。
【図４】本発明の一実施例に係わる採光窓の水上側の要部の縦断面図である。
【図５】本発明の一実施例に係わる採光窓の水下側の瓦押え板を用いて施工した状態を示す要部の斜視図である。
【図６】本発明の野地板に設けられた開口部を示す要部の斜視図である。
【図７】本発明の採光窓の水切り板兼用下枠の四周の施工状態を示す要部の斜視図である。
【符号の説明】
Ａ　　　採光窓
１　　　屋根面
２　　　野地板
３　　　開口部
４　　　枠体
５　　　採光窓本体
６　　　上枠
７　　　水切り板兼用下枠
８　　　固定具
９　　　瓦押え板
１０　　平板瓦
１１　　ルーフィング
１２　　防水テープ
１３　　下端部
１４　　上端部
１５　　パッキング材
１６　　パッキング材
１７　　係止部
１８　　水下側
【図１】
2004116067.tif 000003
【図２】
2004116067.tif 000004
【図３】
2004116067.tif 000005
【図４】
2004116067.tif 000006
【図５】
2004116067.tif 000007
【図６】
2004116067.tif 000008
【図７】
2004116067.tif 000009